(57)【要約】【課題】プラズマディスプレイ装置におけるパネルとシャーシ部材との接合において、容易に分離できるようにすることを目的とする。【解決手段】電極群を配置した一対の基板を基板間に放電空間が形成されるように対向配置したパネル１０と、このパネル１０の背面側に配置されかつパネル１０を保持するシャーシ部材１４とを有し、前記パネル１０とシャーシ部材１４の周縁部を枠状の弾性を有する接合部材１６により密封し、かつ前記パネル１０とシャーシ部材１４の間の間隙を減圧状態として、パネル１０をシャーシ部材１４に密着させた。【選択図】　図４
2004126451.tif 000002
【特許請求の範囲】
【請求項１】
電極群を配置した一対の基板を基板間に放電空間が形成されるように対向配置したパネルと、このパネルの背面側に配置されかつパネルを保持するシャーシ部材とを有し、前記パネルとシャーシ部材の周縁部を枠状の弾性を有する接合部材により密封し、かつ前記パネルとシャーシ部材の間の間隙を減圧状態としたことを特徴とするプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したプラズマディスプレイパネル（以下パネルという）と、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている（特許文献１参照）。
【０００５】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【０００６】
一方、このプラズマディスプレイ装置は、大画面を実現しやすいという反面、パネルの主要構成部品であるガラス基板として、大きいガラス基板が必要となり、また複数の放電セルを選択的にプラズマ放電させることにより画像を表示することから、プラズマディスプレイ装置においては、他の表示装置では考慮しなくてもよかった事項について、対策を検討することが要求されている。
【０００７】
【特許文献１】
特許第２８０７６７２号公報
【０００８】
【発明が解決しようとする課題】
このプラズマディスプレイ装置においては、ガラスからなるパネルと金属からなるシャーシ部材とを両面テープや粘着力のある熱伝導パテを用いて取付けることが行われているが、このような構造では、一度パネルとシャーシ部材を取り付けてしまうと、両者を分けることは不可能であり、装置の再生や廃棄時のリサイクルにおいて、ガラス製品と金属製品を分離する上で手間がかかるという課題があった。
【０００９】
本発明はこのような現状に鑑みなされたもので、パネルとシャーシ部材との接合において、容易に分離できるようにすることを目的とするものである。
【００１０】
【課題を解決するための手段】
上記目的を達成するために本発明のプラズマディスプレイ装置は、電極群を配置した一対の基板を基板間に放電空間が形成されるように対向配置したパネルと、このパネルの背面側に配置されかつパネルを保持するシャーシ部材とを有し、前記パネルとシャーシ部材の周縁部を枠状の弾性を有する接合部材により密封し、かつ前記パネルとシャーシ部材の間の間隙を減圧状態としたものである。
【００１１】
【発明の実施の形態】
以下、本発明の一実施の形態によるプラズマディスプレイ装置について、図１〜図５を用いて説明するが、本発明の実施の態様はこれに限定されるものではない。
【００１２】
まず、プラズマディスプレイ装置におけるプラズマディスプレイパネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１３】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１４】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１５】
図２にこのプラズマディスプレイパネルの電極配列を示しており、図２に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【００１６】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１７】
図３に上記で説明した構造のパネルを組み込んだプラズマディスプレイ装置の全体構成の一例を示し、図４にそのプラズマディスプレイ装置の要部構成を示している。
【００１８】
図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００１９】
前記パネル１０の背面側には、このパネル１０を保持するアルミニウム等からなるシャーシ部材１４が配置され、そしてシャーシ部材１４の後面側には、パネル１０を表示駆動させるための複数の回路ブロック１５が取り付けられており、これにより表示ユニットが構成されている。回路ブロック１５は、パネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。また、シャーシ部材１４の後面には、回路ブロック１５を取り付けたり、バックカバー１２を固定するためのボス部１４ａがダイカスト等による一体成型により突設されている。なお、このシャーシ部材１４は、アルミニウム平板に固定ピンを固定して構成してもよい。
【００２０】
図４に示すように、前記パネル１０とシャーシ部材１４とは、周縁部を弾性を有する接合パッキンなどからなる接合部材１６により密封し、かつ前記パネル１０とシャーシ部材１４の間の間隙を減圧状態とすることにより、シャーシ部材１４の前面にパネル１０が背面側を密着するように保持されており、パネル１０で発生した熱をシャーシ部材１４に効率よく伝えて放熱する機能も果たしている。前記接合部材１６は、図５に示すように、パネル１０とシャーシ部材１４の大きさに合わせた枠形状をしており、パネル１０の背面側の周縁部に接合される接合面１６ａとシャーシ部材１４の後面の周縁部に接合される接合面１６ｂとが設けられている。
【００２１】
また、シャーシ部材１４のほぼ中央部には、パネル１０とシャーシ部材１４の間の間隙を減圧状態とするための閉塞弁１７を備えた吸引口１４ｂが設けられており、パネル１０とシャーシ部材１４とを接合部材１６によって周縁部を密封した状態で接合した後、吸引口１４ｂを通して、パネル１０とシャーシ部材１４との間の間隙の空気を吸引して減圧することにより、パネル１０はシャーシ部材１４に密着するように保持される。なお、本実施の形態では、パネル１０とシャーシ部材１４とを直接密着させるようにしているが、パネル１０とシャーシ部材１４との間に、熱伝導性及び弾性を有する樹脂シートを接着することなく介在させてもよい。
【００２２】
以上説明したように、本発明においては、パネル１０とシャーシ部材１４の周縁部を枠状の弾性を有する接合部材１６により密封し、かつ前記パネル１０とシャーシ部材１４の間の間隙を減圧状態とすることにより、パネル１０をシャーシ部材１４に密着するように保持する構造であり、再生や廃棄時には、接合部材１６をカッターなどで切断することにより、パネル１０とシャーシ部材１４との間に空気が入ってパネル１０とシャーシ部材１４との密着状態が解除され、従来のように両面テープや熱伝導パテを使用していた場合と比較して、パネル１０とシャーシ部材１４の分離が容易に行えることとなる。
【００２３】
【発明の効果】
以上のように本発明によるプラズマディスプレイ装置によれば、電極群を配置した一対の基板を基板間に放電空間が形成されるように対向配置したパネルと、このパネルの背面側に配置されかつパネルを保持するシャーシ部材とを有し、前記パネルとシャーシ部材の周縁部を枠状の弾性を有する接合部材により密封し、かつ前記パネルとシャーシ部材の間の間隙を減圧状態としたもので、従来のように両面テープや熱伝導パテを使用していた場合と比較して、パネルとシャーシ部材の分離が容易に行えるという効果が得られる。
【図面の簡単な説明】
【図１】本発明の一実施の形態によるプラズマディスプレイ装置のパネルの概略構成を示す斜視図
【図２】同プラズマディスプレイ装置のパネルの電極配列を示す説明図
【図３】同プラズマディスプレイ装置の全体構成を示す分解斜視図
【図４】同プラズマディスプレイ装置の要部構成を示す断面図
【図５】（ａ）は同プラズマディスプレイ装置に使用する接合部材の平面図
（ｂ）は図５（ａ）のＡ−Ａ線で切断した断面図
【符号の説明】
１０　パネル
１４　シャーシ部材
１４ｂ　吸引口
１６　接合部材
【図１】
2004126451.tif 000003
【図２】
2004126451.tif 000004
【図３】
2004126451.tif 000005
【図４】
2004126451.tif 000006
【図５】
2004126451.tif 000007